(57)【要約】【課題】  時計ムーブメントの機能に制約されずに、竜頭をねじの噛合いを利用して不用意に回転されないように保持できるとともに、耐久性も向上でき、竜頭のねじロック操作が軽い携帯時計を提供することにある。【解決手段】  胴１４内の時計ムーブメント１３に回転力を伝達する巻真３９に接続された竜頭３１を、胴１４に取付けたパイプ２１の雄ねじ部２３に噛合わせて、竜頭３１が回転されないように保持する携帯時計１０を前提とする。竜頭３１は、巻真３９を連動する竜頭軸３２と、この軸３２を回転させる竜頭ヘッド３３とを具備する。パイプ２１の外に配置される竜頭軸３２の軸端部３２ｂの周部に回転力受け部３５を設ける。竜頭ヘッド３３に雌ねじ部４３及び回転力伝達部４４を設ける。雌ねじ部４３は雄ねじ部２３に着脱可能に噛合わされる。回転力伝達部44は、両ねじ部２３、４３の噛合いが外された状態で竜頭軸３２の軸方向に沿う移動に伴い回転力受け部３５に着脱可能に嵌合される。【選択図】    図３
2005127816.tif 000002
【特許請求の範囲】
【請求項１】
時計ムーブメントが内蔵された胴にこの胴の外側に位置される雄ねじ部を有したパイプを取付け、前記時計ムーブメントに回転力を伝達する巻真に接続された竜頭を、前記雄ねじ部の外周に着脱可能に噛合わせ、この噛合いにより前記竜頭を回転されないように保持する携帯時計であって、
前記竜頭が、
前記パイプの外に配置される軸端部の周部に回転力受け部を有して、前記巻真を連動する竜頭軸と、
前記雄ねじ部に着脱可能に噛合わされる雌ねじ部、及びこの噛合いが外された状態で前記竜頭軸の軸方向に沿う移動に伴い前記回転力受け部に着脱可能に結合される回転力伝達部を有した竜頭ヘッドと、
を具備したことを特徴とする携帯時計。
【請求項２】
前記回転力伝達部及び回転力受け部が、多角形状又は歯車形状をなしていることを特徴とする請求項１に記載の携帯時計。
【請求項３】
前記軸端部がストッパ部を有しているとともに、前記回転力受け部への前記回転力伝達部の着脱に伴って前記胴側から前記ストッパ部に接離する当接部が前記竜頭ヘッドに設けられていることを特徴とする請求項１又は２に記載の携帯時計。
【請求項４】
前記竜頭ヘッドが、前記雌ねじ部及び前記回転力伝達部を有して前記軸端部を収容する筒状のヘッド本体と、このヘッド本体に取付けられて前記軸端部を覆い隠すキャップとを備えていることを特徴とする請求項３に記載の携帯時計。
【請求項５】
前記竜頭ヘッドを前記胴の外側面から離れる方向に付勢する弾性体が、前記キャップと前記竜頭軸との間に挟設されていることを特徴とする請求項４に記載の携帯時計。
【発明の詳細な説明】
【技術分野】
【０００１】
本発明は、ねじの噛合いを利用して竜頭が不用意に回転されないように保持する携帯時計に関する。
【背景技術】
【０００２】
従来、胴に内蔵された時計ムーブメントを操作する竜頭は、単一部品であって、時計ムーブメントを連動する竜頭軸部と、この軸部に一体に形成された竜頭ヘッドとを有している。竜頭軸部は胴に取付けられた巻真パイプに挿入されており、竜頭ヘッドは巻真パイプの胴外部に位置するパイプ端部に被嵌されている。
【０００３】
この竜頭が不用意に回転されないようにするために、巻真パイプの胴外部に位置するパイプ端部の外周に雄ねじ部を形成するとともに、竜頭ヘッドに雌ねじ部を形成して、この雌ねじ部をパイプ端部の雄ねじ部に着脱可能に噛合わせる携帯時計が知られている（特許文献１参照。）。
【０００４】
この携帯時計で、時計ムーブメントを操作しない通常の状態では、竜頭をパイプの雄ねじ部に噛合わせて、竜頭ヘッドを胴の外側面に当接させることにより、竜頭の不用意な回転を抑制できる。このように竜頭が回転しないように保持させる操作を、以下ねじロック操作と称し、かつ、保持された状態を、以下ねじロック状態と称する。又、時計ムーブメントを操作する時には、雄ねじ部に対する竜頭の噛合いを外して竜頭を引き動かした状態としてから、時計ムーブメントに接続されている巻真を竜頭とともに回転させることができる。
【特許文献１】特開昭５７−４６１８１号公報（第１頁右欄第８行〜第２頁左欄第７行、第１図−第２図）
【発明の開示】
【発明が解決しようとする課題】
【０００５】
ところで、巻真によって操作される時計ムーブメントが、ぜんまいばねを駆動源とする機械式である携帯時計では、竜頭が引出されない位置に配置されている状態で、この竜頭の回転操作によってぜんまいばねが巻き上げられるように作られている。又、巻真によって操作される時計ムーブメントが、複数の動作モードを有している携帯時計では、竜頭が引出されない位置に配置されている状態で、この竜頭の回転操作によって、動作モードが切換えられるように作られている。
【０００６】
なお、竜頭が引出されない位置に配置されている状態は、一般には「零段」と通称されている。これに対して、カレンダー調整等のために竜頭が引出された位置は「１段」と通称されている。場合によっては、時刻合わせのための位置である「２段」の引出し位置に更に竜頭を引出し得る携帯時計も知られている。
【０００７】
「零段」に配置された竜頭で、ぜんまいばねを巻き上げる機能を有した携帯時計、及び動作モードを変更させる機能を有した携帯時計に、特許文献１の技術を適用することは、以下の点で好ましくない。
【０００８】
すなわち、特許文献１の携帯時計では、竜頭軸部と竜頭ヘッドとが一体である。このため、竜頭を巻真パイプの雄ねじ部に噛合わせるねじロック操作においては、竜頭軸部も回転されるので、この竜頭軸部に接続されている巻真も竜頭と一緒に回転される。
【０００９】
これにより、ぜんまいばねを巻き上げる機能を有した携帯時計への適用では、竜頭を巻真パイプの雄ねじ部に噛合わせるに伴ってぜんまいばねが巻き上げられてしまう。ぜんまいまねの巻上げ操作は、手動巻き又は自動巻きのいずれかでなされるが、胴内のぜんまいばねがどのような巻き上げ状態にあるのかは知ることができない。このため、ぜんまいばねがかなり巻き上がっている状態で、竜頭に対するねじロック操作が行われることがある。この場合、ねじロック操作が特に重くなり不便であるとともに、それに伴い過度の操作力が雄ねじ部と雌ねじ部に加わって、これらのねじ部の摩耗が早められる。
【００１０】
又、動作モードを変更させる機能を有した携帯時計への適用では、竜頭に対するねじロック操作に伴って動作モードが勝手に変更されてしまう。このため、この種の携帯時計に対しては、ねじの噛合いを利用して竜頭が不用意に回転されないようにした技術の適用はできなかった。
【００１１】
本発明が解決しようとする課題は、時計ムーブメントの機能に制約されずに、竜頭をねじの噛合いを利用して不用意に回転されないように保持できるとともに、耐久性も向上でき、竜頭のねじロック操作が軽い携帯時計を提供することにある。
【課題を解決するための手段】
【００１２】
前記課題を解決するために、本発明は、ねじの噛合いを利用して竜頭が不用意に回転されないように保持する携帯時計において、竜頭が、パイプの外に配置される軸端部の周部に回転力受け部を有して、巻真を連動する竜頭軸と、雄ねじ部に着脱可能に噛合わされる雌ねじ部、及びこの噛合いが外された状態で竜頭軸の軸方向に沿う移動に伴い回転力受け部に着脱可能に結合される回転力伝達部を有した竜頭ヘッドと、を具備している。
【００１３】
本発明では、パイプの雄ねじ部に対する竜頭ヘッドの雌ねじ部の噛合いを外すことにより、竜頭ヘッドの拘束が解除されて、この竜頭ヘッドが回転可能となるとともに、軸方向に関する竜頭ヘッドと竜頭軸との相対位置が変わって、竜頭ヘッドの回転力伝達部が竜頭軸の回転力受け部に結合される。このため、この状態下での竜頭ヘッドの回転操作が、回転力伝達部及び回転力受け部を介して竜頭軸に伝えられる。これにより、巻真が回転されるに伴い胴内の時計ムーブメントを操作できる。この操作後に、竜頭ヘッドを胴の外側面に寄るように軸方向移動させてパイプの雄ねじ部に竜頭ヘッドの雌ねじ部を噛合わせることにより、まず、回転力受け部から回転力伝達部が外され、この後に竜頭ヘッドが胴の外側面に当たってねじロック状態になる。この場合、回転力受け部から回転力伝達部が外された後は、竜頭軸と竜頭ヘッドとが結合されていないので、竜頭ヘッドは自由回転が可能である。したがって、既述のねじロック状態を得るねじロック操作に伴って、竜頭軸が回転して時計ムーブメントに回転が伝えられることを防止できる。
【００１４】
又、本発明の好ましい形態では、前記回転力伝達部及び回転力受け部が、多角形状又は歯車形状をなしているので、回転力伝達部と回転力受け部とが嵌合して結合される。このため、回転力伝達部と回転力受け部との間で滑りを生じることなく、回転力伝達部と回転力受け部とを介して竜頭ヘッドの回転操作を、竜頭軸に確実に伝えられる点で優れている。
【００１５】
又、本発明の好ましい形態では、前記軸端部がストッパ部を有しているとともに、前記回転力受け部への前記回転力伝達部の着脱に伴って前記胴側から前記ストッパ部に接離する当接部が前記竜頭ヘッドに設けられているので、竜頭ヘッドをパイプの雄ねじ部から外した後で、ストッパ部に当接部を当接できる。これにより、格別な部品を要することなく、竜頭ヘッドの外れ止めができる点で優れている。
【００１６】
又、本発明の好ましい形態では、前記竜頭ヘッドが、前記雌ねじ部及び前記回転力伝達部を有して前記軸端部を収容する筒状のヘッド本体と、このヘッド本体に取付けられて前記軸端部を覆い隠すキャップとを備えているので、キャップにより竜頭軸の視認を妨げて、好ましい外観的とできる点で優れている。
【００１７】
又、本発明の好ましい形態では、前記竜頭ヘッドを前記胴の外側面から離れる方向に付勢する弾性体が、前記キャップと前記竜頭軸との間に挟設されているので、前記雄ねじ部と前記雌ねじ部との噛合いが外されると同時に弾性体の付勢力によって、当接部がストッパ部に引掛かるように竜頭ヘッドをその軸方向に移動させることができる点で優れている。
【発明の効果】
【００１８】
本発明によれば、ねじロック操作に伴って竜頭軸が回転して、時計ムーブメントに回転が伝えられることを抑制できる。このため、竜頭のねじロック操作を軽く行えるとともに、パイプの雄ねじ部及び竜頭ヘッドの雌ねじ部の耐久性を向上でき、しかも、時計ムーブメントの機能、例えばぜんまいばねを巻き上げる機能や動作モードを変更させる機能等に制約されずに、竜頭をねじの噛合いを利用して不用意に回転されないように保持させることが可能な携帯時計を提供できる。
【発明を実施するための最良の形態】
【００１９】
（第１実施形態）
図１〜図４を参照して本発明の第１実施形態を説明する。
【００２０】
図１中符号１０は携帯時計としての腕時計を示している。この腕時計１０は時計外装組立１１内に図２及び図３に示すように文字板１２及び図示しない時計ムーブメント１３等を収容している。時計ムーブメント１３には、ぜんまいを動力源にした手動巻き型、又は自動巻き型、若しくはこれら手動巻きと自動巻きとを併用した型の機械式の時計ムーブメントが用いられている。なお、これに代えて、文字板１２上での時刻表示等をデジタル表示とアナログ表示とを選択して切換えることができる型の時計ムーブメントであってもよい。
【００２１】
図２及び図３に示すように時計外装組立１１は、環状をなす金属製の胴１４の厚み方向一面からなる正面に、カバーガラス１５を液密に装着するとともに、胴１４の厚み方向他面からなる裏面に、金属等からなる裏蓋１６を液密に螺着して形成されている。カバーガラス１５を通して文字板１２は視認可能である。裏蓋１６は取外し可能である。なお、図１〜図３中符号１８は時計外装組立１１に回転操作可能に取付けられた環状のベゼルを示しており、このべゼル１８は図２及び図３に示す環状の弾性リング１９の摩擦力で任意な回転位置に保持されるようになっている。ベゼル１８は省略してもよい。
【００２２】
図２及び図３に示すように胴１４の一部には、この胴１４を径方向に貫通するパイプ取付け孔１７が開けられている。パイプ取付け孔１７の一端は、胴１４で囲まれた胴内空間１４ａに開口され、パイプ取付け孔１７の他端は、胴１４の外側面１４ｂに開口されている。
【００２３】
胴１４には、胴外側からパイプ取付け孔１７に挿入してパイプ（巻真パイプと称されることもある。）２１がろう付け等により取付けられている。図２及び図３中符号２２はろう材を示している。金属製、例えばステンレス鋼製のパイプ２１は、円筒状でその軸方向両端が夫々開放しているとともに、胴１４の外部に配置されるパイプ端部２１ａを備え、このパイプ端部２１ａの外周に竜頭３１をねじロック状態に保持するための雄ねじ部２３を有している。
【００２４】
竜頭３１は、竜頭軸３２と、竜頭ヘッド３３と、弾性体例えばコイルばね３４とを備えている。
【００２５】
竜頭軸３２は、例えば金属製好ましくはステンレス製であって、図２及び図３に示すようにパイプ２１内に胴１４の外部から挿入される円柱状の挿入軸部３２ａと、この挿入軸部３２ａと一体に連続してパイプ２１の外部に配置される軸端部３２ｂとを有している。軸端部３２ｂは雄ねじ部２３の外径と同じかそれ以上に大径である。
【００２６】
この軸端部３２ｂの周部は回転力受け部３５をなしている。この回転力受け部３５は例えば図４に例示されるように正多角形状具体的には正八角形状に作られている。更に、軸端部３２ｂの胴１４に寄っている側面は、挿入軸部３２ａから直角に張り出す側面であって、この側面はストッパ部３６として用いられている。
【００２７】
竜頭軸３２には、その挿入軸部３２ａの先端側から軸方向に沿って切り込まれたねじ穴３７が設けられているとともに、軸端部３２ｂの端面中央部に開放するばね収容穴３８が設けられている。
【００２８】
時計ムーブメント１３に竜頭３１の回転力を伝達する巻真３９が、挿入軸部３２ａのねじ穴３７に胴内側からねじ込まれている。これにより互いに連結された巻真３９と竜頭軸３２とは軸方向には動くことができない。挿入軸部３２ａの先端部外周に形成された環状凹部にはゴム等の弾性材料からなる環状の防水パッキン４０が装着されている。この防水パッキン４０は前記環状凹部及びパイプ２１の内周に弾性的に密接しており、これにより、パイプ２１の内周と竜頭軸３２との間が防水されている。
【００２９】
図２及び図３に示すように竜頭ヘッド３３は、雄ねじ部２３及び軸端部３２ｂを収容できる大きさをなす円筒状のヘッド本体４１と、このヘッド本体４１に取付けられたキャップ４２とを有して形成されている。
【００３０】
ヘッド本体４１は例えば金属製であって、その外周に回転操作のすべり止めのための溝（なお、図４では図示を省略する。）を有している。このヘッド本体４１の開放された一端面４１ａは、胴１４の外側面１４ｂに接離する面となっている。ヘッド本体４１の一端面４１ａ寄りの内周には、竜頭３１のねじロック状態を得るために雄ねじ部２３に取外し可能に噛合わされる雌ねじ部４３が設けられている。
【００３１】
ヘッド本体４１の内周には、雌ねじ部４３に隣接する回転力伝達部４４が設けられている。この回転力伝達部４４は、竜頭ヘッド３３の軸方向移動に伴って回転力受け部３５に着脱される部位であって、回転力受け部３５と相似形状、したがって本実施形態の場合には図４に例示するように正八角形の嵌合穴で形成されている。
【００３２】
回転力伝達部４４と雌ねじ部４３との間の部分は環状をなす当接部４５として用いられている。この当接部４５は、竜頭ヘッド３３の軸方向移動に伴って前記ストッパ部３６に接離する部位であるとともに、回転力伝達部４４の回転力受け部３５への嵌め込み深さを規定する部位としても利用されている。
【００３３】
なお、以上の構成を有するヘッド本体４１は金属の鋳造品で作ることが望ましい。鋳造品の場合、回転力伝達部４４を鋳造と同時に形成できる。このため、この回転力伝達部４４を加工するための面倒な手間を要することがない。したがって、ヘッド本体４１を低コストで得ることができる。
【００３４】
キャップ４２はヘッド本体４１と同種材料又は硬質合成樹脂で作られている。このキャップ４２は、その周部をヘッド本体４１の他端部内周に設けた溝に嵌合させた状態で、ヘッド本体４１をかしめることによって、ヘッド本体４１の端部開口を塞いで取付けられている。このため、竜頭軸３２の軸端部３２ｂが、キャップ４２により覆い隠されて、視認されないようにでき、竜頭回りの体裁を向上できる点で好ましい。
【００３５】
更に、竜頭ヘッド３３をヘッド本体４１とキャップ４２とで形成する構成では、ヘッド本体４１にキャップ４２が取付けられる以前の段階で、筒状のヘッド本体４１はその軸方向両端が開放された状態となっている。このため、キャップ４２が、ヘッド本体４１の内周面に対する雌ねじ部４３等の加工の妨げとならない点でも好ましい。
【００３６】
コイルばね３４は、竜頭軸３２のばね収容穴３８に収容されて、この収容穴３８に対向したキャップ４２の中央部と竜頭軸３２との間に挟まれている。このコイルばね３４は、竜頭ヘッド３３を胴１４の外側面１４ｂから離れる方向に常に付勢している。
【００３７】
以上の構成を備えた腕時計１０において、竜頭３１が引出されない位置に配置されている状態（一般に「零段」と通称されている。）は、図２に示されている。この「零段」では、竜頭ヘッド３３のヘッド本体４１の雌ねじ部４３がパイプ２１の雄ねじ部２３に噛合わされて、ヘッド本体４１の一端面４１ａが胴１４の外側面１４ｂに接して位置決めされている。これとともに、竜頭ヘッド３３の回転力伝達部４４は、パイプ端部２１ａに近付けられていて、竜頭軸３２の軸端部３２ｂ、より具体的には、この軸端部３２ｂの回転力受け部３５に対して胴１４側に外れている。すなわち、竜頭ヘッド３３と竜頭軸３２とは結合関係を有していない状態に保持されている。
【００３８】
このため、竜頭ヘッド３３のキャップ４２と竜頭軸３２の間にコイルばね３４が強く圧縮された状態にあって、竜頭ヘッド３３が胴１４から離れる方向に付勢されているにも拘らず、前記噛合いによって竜頭ヘッド３３が軸方向に動かされることがない。このように「零段」では竜頭３１がねじロック状態にある。
【００３９】
時計ムーブメント１３の時刻合わせをする場合、ねじロック状態にある竜頭ヘッド３３は、「１段」と通称される位置に引出されて回転操作される。すなわち、まず、竜頭ヘッド３３を緩み方向に回転させて、その雌ねじ部４３をパイプ２１の雄ねじ部２３から外した状態とする。この場合にも、竜頭ヘッド３３と竜頭軸３２とは結合関係を有していないので、噛合いを外す竜頭ヘッド３３の自由回転操作に伴って、竜頭軸３２が竜頭ヘッド３３に連動して回転されることはない。
【００４０】
前記ねじの噛合いが外されると同時に、コイルばね３４のばね力（付勢力）で、竜頭ヘッド３３が、竜頭軸３２の軸方向に沿って胴１４の外側面１４ｂから更に離れるように、手動操作によることなく簡便に移動される。
【００４１】
この竜頭ヘッド３３の軸方向移動に伴い竜頭軸３２と竜頭ヘッド３３とが連結される。つまり、竜頭ヘッド３３の回転力伝達部４４が竜頭軸３２の回転力受け部３５の外周に嵌合されて、竜頭軸３２と竜頭ヘッド３３とが軸回りに回転を連動するように結合される。したがって、回転力受け部３５と回転力伝達部４４とは、前記噛合いが外された状態で、竜頭ヘッド３３に対する竜頭軸３２の連れ回し可能とするように竜頭軸３２と竜頭ヘッド３３とを連結する噛合いクラッチとして機能する。
【００４２】
これとともに、竜頭ヘッド３３の当接部４５が竜頭軸３２のストッパ部３６に当接して、軸方向に沿う回転力受け部３５への回転力伝達部４４の嵌め込み深さが規定されるとともに、竜頭ヘッド３３の軸方向移動が規制されて竜頭ヘッド３３が外れ止めされる。この規制による位置決めで、ねじロック状態が解除された竜頭３１が、図３に示すように「１段」と通称される引出し位置に保持される。なお、こうした竜頭軸３２と竜頭ヘッド３３との連結において、竜頭ヘッド３３を若干回転させる手間を必要とする場合もある。
【００４３】
以上説明した竜頭ヘッド３３の引出し位置で、竜頭３１の竜頭ヘッド３３を手動で回転させることにより、この竜頭ヘッド３３の回転が、回転力伝達部４４及び回転力受け部３５を介して竜頭軸３２に伝えられる。これに伴い巻真３９を介して時計ムーブメント１３に回転力が与えられるので、この時計ムーブメント１３の時刻合わせ等の調整を行うことができる。
【００４４】
この調整後には竜頭３１は再びロック状態（図２参照）とされる。このねじロック状態を得る操作は、まず、竜頭ヘッド３３をコイルばね３４に抗して胴１４方向に押し戻した後に、この竜頭ヘッド３３の雌ねじ部４３を、締め付け方向に回転させて、パイプ２１の雄ねじ部２３にねじ込むことで実施される。これにより、竜頭ヘッド３３の一端面４１ａが胴１４の外側面１４ｂに当接するので、腕時計１０の携帯時等に竜頭３１が不用意に回転されないように竜頭３１をねじロック状態とすることができる。
【００４５】
このねじロック状態を得る操作においては、始めに、竜頭ヘッド３３が胴１４方向に押し戻されるに伴い、回転力受け部３５から回転力伝達部４４が外れるので、竜頭ヘッド３３と竜頭軸３２との連結が解除される。そして、この後に、竜頭ヘッド３３が回転操作されて雄ねじ部２３への雌ねじ部４３の噛合わせが行われる。
【００４６】
このように竜頭ヘッド３３と竜頭軸３２とが連結されていない状態で、竜頭ヘッド３３が締め付け方向に回転操作されるので、この竜頭ヘッド３３の締め付け方向の回転が竜頭軸３２に伝えられることがない。
【００４７】
以上のようにねじロック状態を得るための既述のねじロック操作に伴って、竜頭軸３２が回転して、機械式の時計ムーブメント１３に回転が伝えられることがないので、ねじロック操作において、時計ムーブメント１３が有するぜんまいばねが負荷となることが防止される。したがって、例えばぜんまいばねがかなり巻き上がっている状態であっても、竜頭３１のねじロック操作を軽く行うことができ、操作性が良い。
【００４８】
なお、時計ムーブメント１３が、機械式ではなく、「零段」位置に配置された竜頭３１で動作モードを変更させる機能を有したものである場合には、既述のように時計ムーブメントに対して竜頭３１のねじロック操作に伴い回転力が波及することが防止されるので、動作モードが不用意に変更されることがない。
【００４９】
又、既述のようにぜんまいばねを有する機械式の時計ムーブメント１３でのねじロック操作を軽く行えることに伴い、過度の回転操作力が雄ねじ部２３と雌ねじ部４３に加えられることもなくなるので、これらのねじ部２３、４３の耐久性を向上することができる。
【００５０】
更に、既述のようにねじロック操作の際及びねじロック状態を解除する際の竜頭ヘッド３３の軸方向移動に拘らず、竜頭軸３２は軸方向に移動されることがない。このため、巻真３９と竜頭軸３２とに、竜頭軸３２の軸方向移動が巻真３９に波及することを防止するための工夫を要することがなく、巻真３９と竜頭軸３２との接続を簡単なねじ込み構造で行うことができる。
【００５１】
このため、特に、巻真３９に対する加工コストを低減できるので、腕時計全体のコスト低減に貢献できる。なお、比較のために従来の構造を説明すれば、巻真に２面幅を設ける切削加工を施すとともに、この巻真に２面幅を有した嵌合孔付きのワッシャを嵌合し、このワッシャを竜頭軸に固定することによって、巻真に対する竜頭軸の軸方向移動を許す一方で、竜頭の回転に対して巻真が共に回転される構造が採用されている。
【００５２】
その上、巻真３９にねじ軸を採用できるので、腕時計１０の組立てに際して、巻真３９が竜頭３１に予め固定された巻真付き竜頭を用意することに制約されず、巻真３９を竜頭軸３２に後付けすることが可能である。これにより、予めねじ部を最大限長く加工した巻真３９を、腕時計１０の型によって異なる時計外装組立１１の大きさ及びねじロック状態を得るのに必要な寸法等に適合させて、必要な長さに切断して、竜頭軸３２にねじ込んで接続できる。したがって、製造上において、巻真３９の汎用性が増して多種類の腕時計１０に共有して使用可能となるとともに、それに応じて腕時計１０全体のコスト低減に貢献できる。
【００５３】
（第２実施形態）
図５を参照して本発明の第２実施形態を説明する。この第２実施形態は、基本的には第１実施形態と同じであるので、第１実施形態と同じ部分については第１実施形態と同一符号を付してその説明を省略し、以下、第１実施形態とは異なる部分について説明する。
【００５４】
第２実施形態では、外歯歯車状に形成された回転力受け部３５を、竜頭軸３２の軸端部３２ｂの周部に設けているとともに、これに着脱可能に嵌合する内歯歯車状の回転力伝達部４４を、竜頭ヘッド３３のヘッド本体４１の内周に設けている。以上説明した点以外は、図４及び図５に示されない構成を含めて第１実施形態と同じである。
【００５５】
したがって、この第２実施形態の腕時計１０でも、第１実施形態と同じ作用を得て本発明が解決しようとする課題を解決できる。しかも、回転力伝達部４４と回転力受け部３５とが歯車状であるから、これらを嵌合させる際に竜頭ヘッド３３を回転させる必要がある場合に、その回転量が歯の少なくとも１ピッチ分で済むので、操作が容易となる点で優れている。
【００５６】
本発明は前記両実施形態には制約されない。例えば、竜頭３１のコイルばね３４は省略してもよい。この場合には、竜頭ヘッド３３をねじロック状態とする際に、コイルばね３４の抵抗を受けなくて済む。これにより、軽い操作で胴１４の外側面１４ｂに向けて竜頭ヘッド３３を軸方向に移動させることができる。
【図面の簡単な説明】
【００５７】
【図１】本発明の第１実施形態に係る腕時計を示す正面図。
【図２】図１中Ｚ−Ｚ線に沿って竜頭のねじロック状態を示す断面図。
【図３】図１中Ｚ−Ｚ線に沿って竜頭のねじロック状態が解除された状態を示す断面図。
【図４】図３中Ｙ−Ｙ線に沿って示す竜頭の断面図。
【図５】本発明の第２実施形態に係る腕時計が備える竜頭を示す図４相当の断面図。
【符号の説明】
【００５８】
１０…腕時計（携帯時計）
１１…時計外装組立
１３…時計ムーブメント
１４…胴
１４ａ…胴内空間
１４ｂ…胴の外側面
２１…パイプ
２１ａ…パイプ端部
２３…雄ねじ部
３１…竜頭
３２…竜頭軸
３２ｂ…竜頭軸の軸端部
３３…竜頭ヘッド
３４…コイルばね（弾性体）
３５…回転力受け部
３６…ストッパ部
３９…巻真
４１…ヘッド本体
４１ａ…ヘッド本体の一端面
４２…キャップ
４３…雌ねじ部
４４…回転力伝達部
４５…当接部
【図１】
2005127816.tif 000003
【図２】
2005127816.tif 000004
【図３】
2005127816.tif 000005
【図４】
2005127816.tif 000006
【図５】
2005127816.tif 000007